(57)【要約】【課題】省電力モードから短時間で復帰させることができる情報処理装置、画像形成装置及び情報処理方法を提供する。【解決手段】性能を優先させて動作する第１動作モード、及び第１動作モードよりも性能の優先度が低い第２動作モードのいずれでも動作可能にされた処理部と、第１動作モード及び第２動作モードのいずれよりも消費電力が少ない省電力モードへ処理部を第１動作モード又は第２動作モードから移行させる移行制御、及び第１信号を取得した場合に処理部を省電力モードから第１動作モードへ復帰させ、第２信号を取得した場合に処理部を省電力モードから第２動作モードへ復帰させる復帰制御を行う制御部とを有し、制御部は、第１信号を取得して処理部を前記第１動作モードへ復帰させるまでの期間に対し、第２信号を取得して処理部を前記第２動作モードへ復帰させるまでの期間を短くするよう制御する。【選択図】図７
2014112810.tif 000002
【特許請求の範囲】
【請求項１】
性能を優先させて動作する第１動作モード、及び前記第１動作モードよりも性能の優先度が低い第２動作モードのいずれでも動作可能にされた処理部と、
前記第１動作モード及び前記第２動作モードのいずれよりも消費電力が少ない省電力モードへ前記処理部を前記第１動作モード又は前記第２動作モードから移行させる移行制御、及び第１信号を取得した場合に前記処理部を前記省電力モードから前記第１動作モードへ復帰させ、第２信号を取得した場合に前記処理部を前記省電力モードから前記第２動作モードへ復帰させる復帰制御を行う制御部と、
を有し、
前記制御部は、
前記第１信号を取得して前記処理部を前記第１動作モードへ復帰させるまでの期間に対し、前記第２信号を取得して前記処理部を前記第２動作モードへ復帰させるまでの期間を短くするよう制御すること
を特徴とする情報処理装置。
【請求項２】
前記処理部は、
クロックに同期して画素毎のアナログ信号を出力する光電変換素子を備え、
前記制御部は、
少なくとも前記光電変換素子への前記クロックを供給状態から停止状態に切替えることによって前記処理部を前記省電力モードへ移行させ、前記第１信号又は前記第２信号を取得した場合に前記光電変換素子への前記クロックを停止状態から供給状態に切替えることによって前記処理部を前記第１動作モード又は前記第２動作モードへ復帰させること
を特徴とする請求項１に記載の情報処理装置。
【請求項３】
前記第１動作モードは、前記光電変換素子によって原稿画像を読取る動作であり、前記第２動作モードは、前記光電変換素子によって原稿サイズを検知する動作であること
を特徴とする請求項２に記載の情報処理装置。
【請求項４】
前記処理部を前記第１モードへ復帰させるまでの期間、及び前記処理部を前記第２モードへ復帰させるまでの期間は、予め定められていること
を特徴とする請求項１乃至３のいずれか１項に記載の情報処理装置。
【請求項５】
前記制御部は、
前記光電変換素子が読取った画像データが予め定められた誤差範囲内に収まった場合に前記第１動作モード又は前記第２動作モードへ復帰が完了したと判定し、前記第１動作モードに対して定められた誤差範囲は、前記第２動作モードに対して定められた誤差範囲よりも狭いこと
を特徴とする請求項１乃至３のいずれか１項に記載の情報処理装置。
【請求項６】
前記画像データは、光を照射されていない前記光電変換素子が読取ったデータであること
を特徴とする請求項５に記載の情報処理装置。
【請求項７】
前記制御部は、
前記移行制御を行うタイミングと前記復帰制御を行うタイミングとが重なった場合、前記復帰制御を優先させて行うこと
を特徴とする請求項１乃至６のいずれか１項に記載の情報処理装置。
【請求項８】
前記制御部は、
前記復帰制御が行われている期間では、前記移行制御を開始する要求を無効とすること
を特徴とする請求項７に記載の情報処理装置。
【請求項９】
請求項１乃至８のいずれか１項に記載の情報処理装置を備えたことを特徴とする画像形成装置。
【請求項１０】
性能を優先させて動作する第１動作モード、及び前記第１動作モードよりも性能の優先度が低い第２動作モードのいずれでも動作可能にされた処理部を、前記第１動作モード及び前記第２動作モードのいずれよりも消費電力が少ない省電力モードへ前記第１動作モード又は前記第２動作モードから移行させる工程と、
第１信号を取得した場合に前記処理部を前記省電力モードから前記第１動作モードへ第１期間経過後に復帰させ、第２信号を取得した場合に前記処理部を前記省電力モードから前記第２動作モードへ前記第１期間よりも短い第２期間経過後に復帰させる工程と、
を含むことを特徴とする情報処理方法。
【発明の詳細な説明】
【技術分野】
【０００１】
本発明は、情報処理装置、画像形成装置及び情報処理方法に関する。
【背景技術】
【０００２】
原稿を読取る画像読取装置は、例えば原稿を照射する光源、ＣＣＤ（Charge  Coupled  Device）イメージセンサ、ＣＣＤ出力バッファ（エミッタフォロア）及びＡＦＥ（Analog  Front  End）等を有する。画像読取装置には、スキャン動作を行っている読取動作状態と、電源がオン（ＯＮ）にされていてもスキャン動作を行っていない待機状態（又は省電力状態）とがある。
【０００３】
画像読取装置は、一般にスキャン動作を行っている時間よりも、電源がＯＮにされてスキャン動作を行っていない時間の方が長い。従来の画像読取装置では、電源がＯＮにされてスキャン動作を行っていない状態であっても電力を消費し、消費電力を十分に下げることができなかった。
【０００４】
また、スキャン動作を行っていない場合は、画像読取装置の電源をオフ（ＯＦＦ）にすることによって消費電力を下げることも考えられる。しかし、画像読取装置の電源をＯＦＦにすると、レジスタの再設定や回路動作が安定するまでの待ち時間などが必要となり、動作指示があっても動作可能状態に復帰するために時間がかかってしまうという問題がある。
【０００５】
そこで、待機状態での消費電力を抑えつつ、動作可能状態への復帰を高速化する画像読取装置として、例えば特許文献１には、基準クロックがＬＶＤＳ（Low  voltage  differential  signaling）クロック生成部及び同期信号生成部には供給され、ＣＣＤ駆動クロック生成部及びＡＦＥ駆動クロック生成部には供給されないようにする画像読取装置が開示されている。
【０００６】
また、特許文献２には、省電力モードから通常動作モードへの復帰条件となった場合、省電力優先または復帰時間優先として制御するコントローラを備え、コントローラは、復帰時間優先時にＲＡＭへの電力を供給し、省電力優先の場合にＲＡＭへの電力供給を遮断するように制御する画像処理装置が開示されている。
【発明の概要】
【発明が解決しようとする課題】
【０００７】
しかしながら、省電力モードから短時間で復帰させることができないという問題があった。
【０００８】
本発明は、上記に鑑みてなされたものであって、省電力モードから短時間で復帰させることができる情報処理装置、画像形成装置及び情報処理方法を提供することを目的とする。
【課題を解決するための手段】
【０００９】
上述した課題を解決し、目的を達成するために、本発明は、性能を優先させて動作する第１動作モード、及び前記第１動作モードよりも性能の優先度が低い第２動作モードのいずれでも動作可能にされた処理部と、前記第１動作モード及び前記第２動作モードのいずれよりも消費電力が少ない省電力モードへ前記処理部を前記第１動作モード又は前記第２動作モードから移行させる移行制御、及び第１信号を取得した場合に前記処理部を前記省電力モードから前記第１動作モードへ復帰させ、第２信号を取得した場合に前記処理部を前記省電力モードから前記第２動作モードへ復帰させる復帰制御を行う制御部と、を有し、前記制御部は、前記第１信号を取得して前記処理部を前記第１動作モードへ復帰させるまでの期間に対し、前記第２信号を取得して前記処理部を前記第２動作モードへ復帰させるまでの期間を短くするよう制御することを特徴とする。
【発明の効果】
【００１０】
本発明によれば、省電力モードから短時間で復帰させることができるという効果を奏する。
【図面の簡単な説明】
【００１１】
【図１】図１は、画像読取装置の構成を例示する構成図である。
【図２】図２は、ＣＣＤを備えたＳＢＵの構成を例示する構成図である。
【図３】図３は、消費電力の低減と、読取動作状態への短時間での復帰を可能にするように構成されたＣＣＤ及びその周辺の構成を例示する構成図である。
【図４】図４は、画像読取装置が読取動作状態と省電力状態（クロック停止状態）とを切替える場合の動作例を示すフローチャートである。
【図５】図５は、画像読取装置における原稿読取時及び原稿サイズ検知時（プレスキャン時）の復帰時間への要求を示すフローチャートである。
【図６】図６は、比較例の画像読取装置における原稿読取時（ａ）及び原稿サイズ検知時（ｂ）の復帰制御を示すフローチャートである。
【図７】図７は、実施の形態にかかる画像読取装置における原稿読取時（ａ）及び原稿サイズ検知時（ｂ）の復帰制御を示すフローチャートである。
【図８】図８は、画質優先モードでの復帰制御（ａ）と、時間優先モードでの復帰制御（ｂ）とを示すフローチャートである。
【図９】図９は、画像読取装置それぞれに個体差があっても、復帰時間をそれぞれ最短にする復帰制御を示すフローチャートである。
【図１０】図１０は、画像読取装置が主走査方向の１ライン期間の画像を読取った場合に、ＣＣＤ及びアナログ信号処理部が出力する信号を示すタイミングチャートである。
【図１１】図１１は、原稿サイズ検知時の復帰制御と移行制御の優先関係を決める動作を示すフローチャートである。
【図１２】図１２は、スキャナのような画像読取装置以外の情報処理装置における動作例を示すフローチャートである。
【図１３】図１３は、画像読取装置を備えた画像形成装置の概要を示す構成図である。
【発明を実施するための形態】
【００１２】
まず本発明をするに至った背景について説明する。図１は、画像読取装置１の構成を例示する構成図である。図１に示すように、画像読取装置１は、本体１００内に、ＣＣＤリニアイメージセンサ（ＣＣＤ）２を備えたセンサー基板（Sensor  Board  Unit：ＳＢＵ）３、レンズユニット１０２、第１キャリッジ１０４及び第２キャリッジ１０６を有し、上面にコンタクトガラス１１６及び基準白板１１８が設けられている。第１キャリッジ１０４は、ＬＥＤ（Light  Emitting  Diode）光源１０８及びミラー１１０を有する。第２キャリッジ１０６は、ミラー１１２１，１１４を有する。
【００１３】
画像読取装置１は、読取動作において、第１キャリッジ１０４及び第２キャリッジ１０６が待機位置（ホームポジション）から副走査方向に移動しながらＬＥＤ光源１０８が光を上方に向けて照射する。そして、第１キャリッジ１０４及び第２キャリッジ１０６は、原稿からの反射光をレンズユニット１０２を介してＣＣＤ２上に結像させる。ＣＣＤ２は、クロックに同期して画素毎に光電変換したアナログ信号を出力する。ＣＣＤ２が光電変換したアナログ電気信号は、ＳＢＵ３の図示しないＡ／Ｄコンバータによりデジタル信号に変換される。
【００１４】
また、画像読取装置１は、電源ＯＮ時などには、基準白板１１８からの反射光を読取って基準を設定する。即ち、画像読取装置１は、第１キャリッジ１０４が基準白板１１８直下に移動し、ＬＥＤ光源１０８を点灯させて基準白板１１８からの反射光をＣＣＤ２上に結像させることによりゲイン調整を行う。
【００１５】
図２は、ＣＣＤ２を備えたＳＢＵ３の構成を例示する構成図である。ＳＢＵ３は、例えばタイミング制御部（ＴＧ：Timing  Generator）３０ａ、ドライバ３２、アナログ信号処理部（ＡＦＥ：Analog  Front  End）３４ａ、ＬＶＤＳトランストランスミッタ（ＬＶＤＳ）３６、ＡＣ結合容量３８及びＣＣＤ２を備える。
【００１６】
タイミング制御部３０ａは、ＰＬＬ（Phase  Locked  Loop）３００、第１クロック生成部３０２、第２クロック生成部３０４、第３クロック生成部３０６及び同期信号生成部３０８を有する。ＰＬＬ３００は、発振子（ＯＳＣ）の出力を逓倍して基準クロックを生成し、第１クロック生成部３０２、第２クロック生成部３０４、第３クロック生成部３０６及び同期信号生成部３０８に対して出力する。
【００１７】
第１クロック生成部３０２は、ドライバ３２を介してＣＣＤ２を駆動するＣＣＤクロック（ｃｃｄ＿ｃｋ）を生成する。第２クロック生成部３０４は、アナログ信号処理部３４ａを駆動するＡＦＥクロック（ａｆｅ＿ｃｋ）を生成する。第３クロック生成部３０６は、ＬＶＤＳ３６を駆動するＬＶＤＳクロック（ｌｖ＿ｃｋ）を生成する。同期信号生成部３０８は、画像読取装置１の主走査方向のライン同期信号（ｌｓｙｎｃ）を生成し、ＬＶＤＳ３６に対して出力する。
【００１８】
ドライバ３２は、ＣＣＤクロックを受入れ、駆動クロック（ＣＣＤ＿ＣＫ）を供給することによってＣＣＤ２を駆動する。ＣＣＤ２は、原稿からの反射光を光電変換してアナログ画像信号（アナログ信号：ｓｉｇ）を出力する。ＣＣＤ２が出力したアナログ画像信号は、ＡＣ結合容量３８を介してアナログ信号処理部３４ａに入力される。
【００１９】
ここで、例えばＣＣＤ２の電源電圧は１０〜１２Ｖであり、ＣＣＤ２から出力された段階でのアナログ画像信号は、５Ｖのオフセット電圧にマイナスパルスのアナログ画像信号が重畳される。これに対して、例えばアナログ信号処理部３４ａの電源電圧は３．３Ｖであり、入力定格電圧は０〜２Ｖに設定され、オフセット電圧は２Ｖにされる。このように、アナログ信号処理部３４ａは、ＣＣＤ２が出力するアナログ信号の最大電圧よりも低い電圧範囲のアナログ信号を処理する。
【００２０】
従って、ＣＣＤ２の出力信号をそのままアナログ信号処理部３４ａへ入力することはできない。そこで、ＣＣＤ２が出力するアナログ信号は、ＡＣ結合容量３８によって２Ｖのオフセット電圧にマイナスパルスのアナログ画像信号が重畳された状態である信号に変換される。そして、変換後のアナログ信号がアナログ信号処理部３４ａへ入力される。なお、上記電圧値及び変換方式は一例であり、これらに限定されない。
【００２１】
アナログ信号処理部３４ａは、クランプ部３４０、サンプル・ホールド部（Ｓ／Ｈ）３４２、ＡＤ変換部（Ａ／Ｄ）３４４を有する。クランプ部３４０は、アナログ信号の基準レベルをアナログ信号処理部３４ａ内部の基準電圧に合わせ込むように、予め定められた電圧にアナログ信号をクランプする。サンプル・ホールド部３４２は、アナログ信号をサンプル・ホールドし、信号成分のみを抽出する。ＡＤ変換部３４４は、サンプル・ホールド部３４２を介して入力されるアナログ信号を例えば１０ｂｉｔのデジタルデータ（ＤＡＴＡ）に変換し、ＬＶＤＳ３６に対して出力する。なお、アナログ信号処理部３４ａは、他に信号増幅部（PGA：Programmable  Gain  Amplifier）や黒補正フィードバックループなどを有するが、本説明とは直接関係がないため、図１には示していない。
【００２２】
ＬＶＤＳ３６は、ＰＬＬ３６０及びデータ変換部３６２を有する。ＰＬＬ３６０は、第３クロック生成部３０６が生成したＬＶＤＳクロックを受入れ、逓倍して生成した動作クロックをデータ変換部３６２に対して出力する。また、ＰＬＬ３６０は、逓倍して生成した動作クロックを伝送クロック（ＬＶ＿ＣＫ）として後段（図示しない画像処理部など）へ出力する。
【００２３】
データ変換部３６２は、ＡＤ変換部３４４が変換したデジタルデータを受入れて、同期信号生成部３０８が生成したライン同期信号と同じ信号にマッピングを行う。そして、データ変換部３６２は、マッピングした信号をシリアルデータに変換し、ＬＶＤＳデータ（ＬＶ＿ＤＡＤＡ）として後段（図示しない画像処理部など）へ出力する。
【００２４】
上述したように、画像読取装置は、スキャン動作を行っている読取動作状態と、電源がオン（ＯＮ）にされていてもスキャン動作を行っていない待機状態（又は省電力状態）とがある。図２に示したＳＢＵ３は、読取動作状態及び待機状態のいずれの状態であっても通電しており、各部が通常動作をしている。即ち、ＳＢＵ３は、待機状態ではスキャン動作を行っていないが、読取動作状態と同程度の無駄な電力を消費している。また、一般にスキャン動作を行っている時間よりも、電源がＯＮにされてスキャン動作を行っていない時間の方が長いので、省電力化を行うためには待機状態での消費電力を低減することが重要となる。
【００２５】
図３は、消費電力の低減と、読取動作状態（又は動作可能状態）への短時間での復帰を可能にするように構成されたＣＣＤ２及びその周辺の構成を例示する構成図である。なお、図３においては、画像読取装置が待機状態である場合の各構成の状態が示されており、実線の信号線は読取動作状態と同じであり、点線の信号線は停止状態を示している。以下、実質的に同一の構成部分には、同一の符号が付してある。
【００２６】
図３に示したタイミング制御部３０ｂには、図２に示したタイミング制御部３０ａに対して切替制御部３１０及びアナログスイッチ３１２が付加されている。切替制御部３１０（第１制御部）は、アナログスイッチ３１２のＯＮ／ＯＦＦを切替えることにより、ＰＬＬ３００から第１クロック生成部３０２及び第２クロック生成部３０４に対する基準クロックの供給と停止とを切替える。以下、アナログスイッチ３１２がＯＮにされた状態を読取動作状態とし、アナログスイッチ３１２がＯＦＦにされた状態を省電力状態（省電力モード）とする。なお、アナログスイッチ３１２のＯＮ／ＯＦＦの切替えは、切替制御部３１０による制御に限定されることなく、他の制御部によって制御されてもよい。
【００２７】
ＰＬＬ３００は、省電力状態であっても第３クロック生成部３０６及び同期信号生成部３０８に対して基準クロックを供給する。よって、ＬＶＤＳ３６は、省電力状態であってもＬＶＤＳデータ及び伝送クロックを出力する。
【００２８】
省電力状態時には、第１クロック生成部３０２及び第２クロック生成部３０４が停止することによって、ドライバ３２、ＣＣＤ２及びアナログ信号処理部３４ａの動作が停止するので、図３に示した構成を有する画像読取装置の消費電力は低減される。一方、省電力状態であっても、第３クロック生成部３０６及び同期信号生成部３０８は動作している。従って、アナログスイッチ３１２がＯＦＦであってもＬＶＤＳ３６が動作するので、ＬＶＤＳ３６の後段（図示しない画像処理部など）は読取動作状態と同様に動作する。
【００２９】
画像読取装置の消費電力は、ドライバ３２、ＣＣＤ２及びアナログ信号処理部３４ａの消費電力が大半を占めている。次に、第１クロック生成部３０２の消費電力が占める割合が大きい。第３クロック生成部３０６、同期信号生成部３０８及びＬＶＤＳ３６などの消費電力が画像読取装置の全消費電力に対して占める割合は無視できるほど小さい。特に、ＬＶＤＳ３６（３．５ｍＡ定電流駆動の場合）は、例えば数十ｍＷの消費電力である。従って、ＬＶＤＳ３６の消費電力は、大きくても画像読取装置全体の消費電力（数〜十数Ｗ）の１％程度である。このように、省電力状態において第３クロック生成部３０６、同期信号生成部３０８及びＬＶＤＳ３６が動作していても、画像読取装置の電力低減の効果が損なわれることはない。
【００３０】
一方、省電力状態において読取動作の指示があった場合、タイミング制御部３０ｂ内のＰＬＬ３００及びＬＶＤＳ３６内のＰＬＬ３６０は動作し続けているので、アナログスイッチ３１２がＯＮにされると、タイミング制御部３０ｂ及びＬＶＤＳ３６はＰＬＬ動作が安定するまでの時間を待つことなく動作する。
【００３１】
また、アナログスイッチ３１２がＯＮにされると、第１クロック生成部３０２及び第２クロック生成部３０４が動作を即座に開始するので、後段のドライバ３２、ＣＣＤ２及びアナログ信号処理部３４ａも即座に動作を開始する。また、省電力状態と読取動作状態との切替がＰＬＬ３００の後段に設けられたアナログスイッチ３１２の制御のみによって行われるので、タイミング制御部３０ｂ及びアナログ信号処理部３４ａに含まれるレジスタ（図示せず）の設定も維持される。さらに、省電力状態であってもＬＶＤＳ３６が後段（図示しない画像処理部など）に対してＬＶＤＳデータ及び伝送クロックを出力し続けるので、後段（図示しない画像処理部など）が復帰できない、又は異常読取動作状態で復帰してしまうことを回避することができる。
【００３２】
このように、省電力状態ではドライバ３２、ＣＣＤ２及びアナログ信号処理部３４ａなどの消費電力が大きい負荷駆動動作を停止し、消費電力が小さいＬＶＤＳ３６などを動作させる。よって、画像読取装置は、消費電力を低減しつつ、読取動作指示があった場合には確実かつ高速に読取動作状態へ復帰することができる。
【００３３】
次に、図３に示した構成を有する画像読取装置の動作について詳述する。図４は、画像読取装置が読取動作状態と省電力状態（クロック停止状態）とを切替える場合の動作例を示すフローチャートである。ここで、図４（ａ）は読取動作状態から省電力状態へ移行する移行制御例を示し、図４（ｂ）は省電力状態から読取動作状態へ復帰する復帰制御例を示している。
【００３４】
図４（ａ）に示すように、ステップ１００（Ｓ１００）において、切替制御部３１０は、アナログスイッチ３１２をＯＦＦにすることにより、ＣＣＤクロック（ｃｃｄ＿ｃｋ）をＯＦＦにする。
【００３５】
また、ステップ１０２（Ｓ１０２）において、切替制御部３１０は、アナログスイッチ３１２のＯＦＦにより、ＡＦＥクロック（ａｆｅ＿ｃｋ）をＯＦＦにする。
【００３６】
このように、Ｓ１００、Ｓ１０２の処理が実行されることにより、画像読取装置は、読取動作状態から省電力状態（クロック停止状態）へ移行する。
【００３７】
また、図４（ｂ）に示すように、ステップ１０４（Ｓ１０４）において、切替制御部３１０は、アナログスイッチ３１２をＯＮにすることにより、ＣＣＤクロック（ｃｃｄ＿ｃｋ）をＯＮにする。
【００３８】
ステップ１０６（Ｓ１０６）において、切替制御部３１０は、アナログスイッチ３１２のＯＮにより、ＡＦＥクロック（ａｆｅ＿ｃｋ）をＯＮにする。
【００３９】
ステップ１０８（Ｓ１０８）において、例えばタイミング制御部３０ｂは、予め定められた時間の経過を待つ（ウェイト）。ここで、タイミング制御部３０ｂは、ＣＣＤクロック及びＡＦＥクロックをＯＮにした直後は、ＣＣＤクロック及びＡＦＥクロックの動作がともに安定しないため、例えば１００ｍＳ程度のウェイトをとる。
【００４０】
このように、Ｓ１０４、Ｓ１０６、Ｓ１０８の処理が実行されることにより、画像読取装置は、省電力状態（クロック停止状態）から読取動作状態への復帰制御が完了する。
【００４１】
なお、移行制御では特にウェイトが設けられていない。時間的な要求が高いのは一般に復帰時であるためである。また、クロック停止状態の期間が十分に長いためにウェイトが設けられていないが、移行制御においてウェイトが設けられてもよい。
【００４２】
図５は、画像読取装置における原稿読取時及び原稿サイズ検知時（プレスキャン時）の復帰時間への要求を示すフローチャートである。ここで、図５（ａ）は原稿読取時における復帰動作例を示し、図５（ｂ）は原稿サイズ検知時における復帰動作例を示している。
画像読取装置の原稿サイズ検知機能は、ユーザーが原稿をコンタクトガラス１１６に置いてスキャンを行おうとするタイミングである圧板（図示せず）の閉動作をトリガにして動作するものとする。画像処理装置は、原稿サイズ検知動作が開始される前にも読取動作状態に復帰しておかなければならない。
【００４３】
まず、図５（ａ）に示すように、ステップ２００（Ｓ２００）において、例えばタイミング制御部３０ｂは、クロック停止状態における原稿読取の開始を要求する復帰トリガ（原稿読取要求：第１信号）の入力があるか否かを判定する。タイミング制御部３０ｂは、復帰トリガ（原稿読取要求：第１信号）の入力があると判定した場合(Ｓ２００：Ｙｅｓ)には、Ｓ２０２の処理に進む。また、タイミング制御部３０ｂは、復帰トリガ（原稿読取要求：第１信号）の入力がないと判定した場合（Ｓ２００：Ｎｏ）には、Ｓ２００の処理を継続する。なお、復帰トリガ（原稿読取要求：第１信号）は、例えばユーザーによる読取スタートキー押下（図示せず）などである。
【００４４】
ステップ２０２（Ｓ２０２）において、例えばタイミング制御部３０ｂは、読取動作状態への復帰制御を行う。ここで、原稿読取時における読取動作状態への復帰時間の要求値は、例えば数百ｍＳ以下である。これはユーザーが不快に思わない程度の時間である。
【００４５】
ステップ２０４（Ｓ２０４）において、画像読取装置は、原稿読取を行う。
【００４６】
ステップ２０６（Ｓ２０６）において、例えばタイミング制御部３０ｂは、省電力状態への移行制御を行う。
【００４７】
また、図５（ｂ）に示すように、ステップ２０８（Ｓ２０８）において、例えばタイミング制御部３０ｂは、クロック停止状態における原稿サイズ検知の開始を要求する復帰トリガ（原稿サイズ検知要求：第２信号）の入力があるか否かを判定する。タイミング制御部３０ｂは、復帰トリガ（原稿サイズ検知要求：第２信号）の入力があると判定した場合(Ｓ２０８：Ｙｅｓ)には、Ｓ２１０の処理に進む。また、タイミング制御部３０ｂは、復帰トリガ（原稿サイズ検知要求：第２信号）の入力がないと判定した場合（Ｓ２０８：Ｎｏ）には、Ｓ２０８の処理を継続する。なお、復帰トリガ（原稿サイズ検知要求：第２信号）は、例として画像読取装置の上部などに設けられて原稿を覆う厚板（図示せず）を閉める動作に対して設定されている。
【００４８】
ステップ２１０（Ｓ２１０）において、例えばタイミング制御部３０ｂは、読取動作状態への復帰制御を行う。ここで、原稿サイズ検知時（例えば主走査方向サイズの検知）における読取動作状態への復帰時間の要求値は、例えば数十ｍＳ以下である。これは、ユーザーが圧板を閉める僅かな時間（１００〜５００ｍＳ程度）で原稿サイズ検知動作の全てを完了させる必要があるため（圧板の背景部を読み取ることにより原稿サイズの誤検知を防ぐ）である。よって、復帰時間に要求される時間は原稿読取時の数百ｍＳ以下に対して非常に短い時間である。
【００４９】
ステップ２１２（Ｓ２１２）において、画像読取装置は、原稿サイズ検知を行う。
【００５０】
ステップ２０６（Ｓ２０６）において、例えばタイミング制御部３０ｂは、省電力状態への移行制御を行う。
【００５１】
図６は、比較例の画像読取装置における原稿読取時（ａ）及び原稿サイズ検知時（ｂ）の復帰制御を示すフローチャートである。
【００５２】
まず、図６（ａ）に示すように、ステップ２００（Ｓ２００）において、例えばタイミング制御部３０ｂは、クロック停止状態又は読取動作状態における原稿読取の開始を要求する復帰トリガ（原稿読取要求：第１信号）の入力があるか否かを判定する。タイミング制御部３０ｂは、復帰トリガ（原稿読取要求：第１信号）の入力があると判定した場合(Ｓ２００：Ｙｅｓ)には、Ｓ２０２の処理に進む。また、タイミング制御部３０ｂは、復帰トリガ（原稿読取要求：第１信号）の入力がないと判定した場合（Ｓ２００：Ｎｏ）には、Ｓ２００の処理を継続する。なお、復帰トリガ（原稿読取要求：第１信号）は、例えばユーザーによる読取スタートキー押下（図示せず）などである。
【００５３】
ステップ２０２（Ｓ２０２）において、例えばタイミング制御部３０ｂは、読取動作状態への復帰制御を行う。ここで、原稿読取時における読取動作状態への復帰時間の要求値は、例えば数百ｍＳ以下である。これはユーザーが不快に思わない程度の時間である。
【００５４】
ステップ２０４（Ｓ２０４）において、画像読取装置は、原稿読取を行う。
【００５５】
ステップ３００（Ｓ３００）において、例えばタイミング制御部３０ｂは、原稿サイズ検知要求の可能性があるか否かを判定する。タイミング制御部３０ｂは、原稿サイズ検知要求の可能性があると判定した場合(Ｓ３００：Ｙｅｓ)には、処理を終了し、読取動作状態を継続する。また、タイミング制御部３０ｂは、原稿サイズ検知要求の可能性がないと判定した場合（Ｓ３００：Ｎｏ）には、Ｓ２０６の処理に進む。
【００５６】
ステップ２０６（Ｓ２０６）において、例えばタイミング制御部３０ｂは、省電力状態への移行制御を行う。
【００５７】
また、図６（ｂ）に示すように、ステップ３０２（Ｓ３０２）において、例えばタイミング制御部３０ｂは、クロック停止状態における原稿サイズ検知の開始を要求する復帰トリガ（原稿サイズ検知要求：第２信号）の入力があるか否かを判定する。タイミング制御部３０ｂは、復帰トリガ（原稿サイズ検知要求：第２信号）の入力があると判定した場合(Ｓ３０２：Ｙｅｓ)には、Ｓ２１２の処理に進む。また、タイミング制御部３０ｂは、復帰トリガ（原稿サイズ検知要求：第２信号）の入力がないと判定した場合（Ｓ３０２：Ｎｏ）には、Ｓ３０２の処理を継続する。
【００５８】
ステップ２１２（Ｓ２１２）において、画像読取装置は、原稿サイズ検知を行う。
【００５９】
図６に示したように、比較例の画像読取装置では、原稿サイズ検知動作が入る可能性がある状況（例えば圧板が開いている状態など）ではクロック停止状態に入らずに読取動作状態のままにしておく。また、比較例の画像読取装置では、原稿サイズ検知動作が入る可能性がない状況（例えば圧板が閉まっている状態など）ではクロック停止状態に入るという制御を行っている。読取動作状態であれば、原稿サイズ検知要求があっても、画像読取装置は即座に原稿サイズ検知を行うことができる。この場合、復帰時間（要求があってから原稿サイズ検知を行うまでの時間）の制約がない。
【００６０】
しかし、上記のような比較例の画像読取装置では、圧板が閉まっている場合のみ省電力効果が得られ、圧板が開いている場合には得られない。すなわち、本来の目的であったはずの省電力が限定的となってしまい、十分な省電力効果を出すことができないという問題があった。
【００６１】
図７は、実施の形態にかかる画像読取装置における原稿読取時（ａ）及び原稿サイズ検知時（ｂ）の復帰制御を示すフローチャートである。
【００６２】
まず、図７（ａ）に示すように、ステップ２００（Ｓ２００）において、例えばタイミング制御部３０ｂは、クロック停止状態又は読取動作状態における原稿読取（第１動作モード）の開始を要求する復帰トリガ（原稿読取要求：第１信号）の入力があるか否かを判定する。タイミング制御部３０ｂは、復帰トリガ（原稿読取要求：第１信号）の入力があると判定した場合(Ｓ２００：Ｙｅｓ)には、Ｓ４００の処理に進む。また、タイミング制御部３０ｂは、復帰トリガ（原稿読取要求：第１信号）の入力がないと判定した場合（Ｓ２００：Ｎｏ）には、Ｓ２００の処理を継続する。
【００６３】
ステップ４００（Ｓ４００）において、例えばタイミング制御部３０ｂは、読取動作状態への復帰制御を行う。ここで、画像読取装置は、画質優先モードとして設定されるシーケンスに沿った復帰制御を行う。
【００６４】
ステップ２０４（Ｓ２０４）において、画像読取装置は、原稿読取を行う。
【００６５】
ステップ２０６（Ｓ２０６）において、例えばタイミング制御部３０ｂは、省電力状態への移行制御を行う。
【００６６】
また、図７（ｂ）に示すように、ステップ２０８（Ｓ２０８）において、例えばタイミング制御部３０ｂは、クロック停止状態における原稿サイズ検知（第２動作モード）の開始を要求する復帰トリガ（原稿サイズ検知要求：第２信号）の入力があるか否かを判定する。タイミング制御部３０ｂは、復帰トリガ（原稿サイズ検知要求：第２信号）の入力があると判定した場合(Ｓ２０８：Ｙｅｓ)には、Ｓ４０２の処理に進む。また、タイミング制御部３０ｂは、復帰トリガ（原稿サイズ検知要求：第２信号）の入力がないと判定した場合（Ｓ２０８：Ｎｏ）には、Ｓ２０８の処理を継続する。
【００６７】
ステップ４０２（Ｓ４０２）において、例えばタイミング制御部３０ｂは、読取動作状態への復帰制御を行う。ここで、画像読取装置は、時間優先モードとして設定されるシーケンスに沿った復帰制御を行う。
【００６８】
ステップ２１２（Ｓ２１２）において、画像読取装置は、原稿サイズ検知を行う。
【００６９】
ステップ２０６（Ｓ２０６）において、例えばタイミング制御部３０ｂは、省電力状態への移行制御を行う。
【００７０】
原稿サイズ検知を行う場合、原稿サイズが区別できる程度、具体的には任意の位置に原稿があるか否かを判別できる程度の画質で画像の読取りが行われればよい。つまり、原稿サイズ検知を行う場合、原稿読取を行う場合と比べると画質を抑えて復帰させることが可能である。
【００７１】
そこで実施の形態にかかる画像読取装置は、図７に示すように、原稿読取を行う場合には、復帰時間よりも画像データの安定を優先する「画質優先モード」で復帰する。また、実施の形態にかかる画像読取装置は、原稿サイズ検知を行う場合には、画像データの安定よりも復帰時間を優先する「時間優先モード」で復帰する。従って、原稿サイズ検知を行う可能性がある場合でも復帰時間と省電力効果の両立を図ることができる。
【００７２】
このように、原稿読取を行う場合、又は原稿サイズ検知を行う場合、画質優先又は時間優先の復帰制御を選択して行うことにより、いずれの場合でも同一の省電力状態に移行すること（省電力効果を得ること）ができる。また、原稿サイズ検知を行う場合にも、復帰時間を短くすることができ、十分な省電力効果を得ることができる。
【００７３】
図８は、画質優先モードでの復帰制御（ａ）と、時間優先モードでの復帰制御（ｂ）とを示すフローチャートである。
【００７４】
まず、図８（ａ）に示すように、ステップ１０４（Ｓ１０４）において、切替制御部３１０は、アナログスイッチ３１２をＯＮにすることにより、ＣＣＤクロック（ｃｃｄ＿ｃｋ）をＯＮにする。
【００７５】
ステップ１０６（Ｓ１０６）において、切替制御部３１０は、アナログスイッチ３１２のＯＮにより、ＡＦＥクロック（ａｆｅ＿ｃｋ）をＯＮにする。
【００７６】
ステップ１０８（Ｓ１０８）において、例えばタイミング制御部３０ｂは、予め定められた時間の経過を待つ（ウェイト１：第１期間）。ここで、タイミング制御部３０ｂは、ＣＣＤクロック及びＡＦＥクロックをＯＮにした直後は、ＣＣＤクロック及びＡＦＥクロックの動作がともに安定しないため、例えば１００ｍＳ程度のウェイトをとる。
【００７７】
また、図８（ｂ）に示すように、ステップ１０４（Ｓ１０４）において、切替制御部３１０は、アナログスイッチ３１２をＯＮにすることにより、ＣＣＤクロック（ｃｃｄ＿ｃｋ）をＯＮにする。
【００７８】
ステップ１０６（Ｓ１０６）において、切替制御部３１０は、アナログスイッチ３１２のＯＮにより、ＡＦＥクロック（ａｆｅ＿ｃｋ）をＯＮにする。
【００７９】
ステップ５００（Ｓ５００）において、例えばタイミング制御部３０ｂは、予め定められた時間の経過を待つ（ウェイト２：第２期間）。ここで、画質優先モードではウェイト１を従来通りに画像データが安定するまでの時間とし、時間優先モードではウェイト１よりも短い時間のウェイト２が設定されている。
【００８０】
例えば、ウェイト１及びウェイト２は、以下のように設定される。
画質優先モード  ：  ウェイト１  ＝  １００ｍＳ
（復帰処理後、画像データが目標値に対して誤差±４ＬＳＢに収まるまで）
時間優先モード  ：  ウェイト２  ＝  ２５ｍＳ
（復帰処理後、画像データが目標値に対して誤差±１６ＬＳＢに収まるまで）
【００８１】
このとき、原稿サイズ検知時には、原稿読取時ほどのデータの安定性を必要としないため、安定性（目標誤差範囲）の制約を緩和し、ウェイト１＞ウェイト２とすることができる。なお、ウェイト１及びウェイト２は、予め設定される。
【００８２】
図９は、画像読取装置それぞれに個体差があっても、復帰時間をそれぞれ最短にする復帰制御を示すフローチャートである。図９（ａ）は原稿読取時の復帰制御を示しており、図９（ｂ）は原稿サイズ検知時の復帰制御を示している。
【００８３】
まず、図９（ａ）に示すように、ステップ１０４（Ｓ１０４）において、切替制御部３１０は、アナログスイッチ３１２をＯＮにすることにより、ＣＣＤクロック（ｃｃｄ＿ｃｋ）をＯＮにする。
【００８４】
ステップ１０６（Ｓ１０６）において、切替制御部３１０は、アナログスイッチ３１２のＯＮにより、ＡＦＥクロック（ａｆｅ＿ｃｋ）をＯＮにする。
【００８５】
ステップ６００（Ｓ６００）において、例えばタイミング制御部３０ｂは、ＣＣＤ２が読取った画像データが予め定められた誤差範囲１以内であるか否かを判定する。タイミング制御部３０ｂは、画像データが予め定められた誤差範囲１以内であると判定した場合(Ｓ６００：Ｙｅｓ)には、処理を終了して読取動作状態にする。また、タイミング制御部３０ｂは、画像データが予め定められた誤差範囲１以内でないと判定した場合（Ｓ６００：Ｎｏ）には、Ｓ６００の処理を継続する。
【００８６】
また、図９（ｂ）に示すように、ステップ１０４（Ｓ１０４）において、切替制御部３１０は、アナログスイッチ３１２をＯＮにすることにより、ＣＣＤクロック（ｃｃｄ＿ｃｋ）をＯＮにする。
【００８７】
ステップ１０６（Ｓ１０６）において、切替制御部３１０は、アナログスイッチ３１２のＯＮにより、ＡＦＥクロック（ａｆｅ＿ｃｋ）をＯＮにする。
【００８８】
ステップ６０２（Ｓ６０２）において、例えばタイミング制御部３０ｂは、ＣＣＤ２が読取った画像データが予め定められた誤差範囲２以内であるか否かを判定する。タイミング制御部３０ｂは、画像データが予め定められた誤差範囲２以内であると判定した場合(Ｓ６０２：Ｙｅｓ)には、処理を終了して読取動作状態にする。また、タイミング制御部３０ｂは、画像データが予め定められた誤差範囲２以内でないと判定した場合（Ｓ６０２：Ｎｏ）には、Ｓ６０２の処理を継続する。
【００８９】
誤差範囲１は、誤差範囲２よりも小さく設定されている。なお、画像データの安定時間（ウェイト１、ウェイト２）は、画像読取装置の個体それぞれのばらつきを含めた最悪値を用いて予め設定したものである。よって、ウェイト１、ウェイト２では、図９に示した復帰処理による復帰時間よりも長い復帰時間が設定されている。つまり、多くの場合、その個体での実力値よりも長い復帰時間となってしまうので、非効率的である。
【００９０】
そこで実施形態にかかる画像読取装置では、復帰時の画像データのレベルを検出し、目標値に対して予め定められた任意の誤差範囲に画像データの誤差が収まっているか否かによって復帰制御の完了を判定している。
【００９１】
例えば、上記の誤差範囲は以下のように設定される。
画質優先モード  ：  誤差範囲１  ＝  ±  ４ＬＳＢ  （目標値に対して）  
時間優先モード  ：  誤差範囲２  ＝  ±１６ＬＳＢ  （目標値に対して）
【００９２】
図１０は、画像読取装置が主走査方向の１ライン期間の画像を読取った場合に、ＣＣＤ２及びアナログ信号処理部３４ａが出力する信号を示すタイミングチャートである。
【００９３】
ＣＣＤ２は、無効画素、遮光画素、有効画素、空転送画素の信号を出力する。ここで、無効画素は、データとして未使用である画素、遮光画素は光が入らないように遮光がなされている画素、有効画素が光に応じた出力となる画素、空転送は全画素の転送が完了した後に出力される無出力の画素である。アナログ信号処理部３４ａは種々のアナログ処理を施すが、画像データの種類としてはＣＣＤ２と同じである。従って、アナログ信号処理部３４ａの出力には、内部の処理遅延分の遅れが生じる。画像データの検出は、アナログ信号処理部３４ａの出力データ、又は後段の画像処理部（図示せず）における画像データを用いる。
【００９４】
画像データのレベルを検出する場合、ＣＣＤ２の有効画素（光に反応する画素）のデータでレベルを検出すると、光源を点灯させている場合や圧板が開いている場合の外光の影響などにより、適切にレベルを検出することができない可能性がある。そのため、実施形態にかかる画像読取装置は、遮光画素又は空転送（光が照射されていない画素）のデータによってレベルを検出する制御を行う。これにより、ＬＥＤ光源１０８を点灯させた状態でも復帰制御が可能となり、また外光等の影響も回避することができ精度の高い検出が可能となる。
【００９５】
なお、厳密には、ＣＣＤ２から出力される信号はアナログ信号であり、アナログ信号処理部３４ａから出力される信号はデジタルデータであるが、ここでは区別して記載していない。このように、ＣＣＤ２における遮光画素又は空転送画素のデータを用いることにより、ＣＣＤ２に対する入射光に影響されないデータ検出が可能となる。
【００９６】
ところで、先述したように、原稿サイズ検知は圧板が閉まる時に動作を行うのが通常であり、割込み処理を用いて実施されるのが一般的である。また、図７（ｂ）に示したように、原稿サイズ検知の動作は、復帰制御→原稿サイズ検知→移行制御の順番で処理が実施される。このとき、圧板の開閉が高速に繰り返されるような場合や原稿開閉動作と同時にスタートキーを押下される場合などには、復帰制御と移行制御それぞれの処理中にトリガ（割込み通知）が発生する可能性がある。この場合、例えば、復帰処理のトリガが入っているのに、直前に実施していた移行処理が完了していないために復帰処理が実施されないなど、システムとして異常状態に陥ってしまう場合がある。
【００９７】
そこで実施形態にかかる画像読取装置は、復帰制御と移行制御の間に優先関係を設定し、制御が重複した場合でも必ず復帰制御を優先して処理を完了するように制御を行う。これにより、復帰制御と移行制御が重複するタイミングで発生しても、必ず読取動作状態で終了することが可能となるため、画像読取装置が異常状態となることを回避できる。
【００９８】
図１１は、原稿サイズ検知時の復帰制御と移行制御の優先関係を決める動作を示すフローチャートである。
【００９９】
図１１に示すように、ステップ７００（Ｓ７００）において、例えばタイミング制御部３０ｂは、まず移行制御の開始を要求するトリガを無効にする。
【０１００】
ステップ１０４（Ｓ１０４）において、切替制御部３１０は、アナログスイッチ３１２をＯＮにすることにより、ＣＣＤクロック（ｃｃｄ＿ｃｋ）をＯＮにする。
【０１０１】
ステップ１０６（Ｓ１０６）において、切替制御部３１０は、アナログスイッチ３１２のＯＮにより、ＡＦＥクロック（ａｆｅ＿ｃｋ）をＯＮにする。
【０１０２】
ステップ６０２（Ｓ６０２）において、例えばタイミング制御部３０ｂは、ＣＣＤ２が読取った画像データが予め定められた誤差範囲２以内であるか否かを判定する。タイミング制御部３０ｂは、画像データが予め定められた誤差範囲２以内であると判定した場合(Ｓ６０２：Ｙｅｓ)には、Ｓ７０２の処理に進む。また、タイミング制御部３０ｂは、画像データが予め定められた誤差範囲２以内でないと判定した場合（Ｓ６０２：Ｎｏ）には、Ｓ６０２の処理を継続する。
【０１０３】
ステップ７０２（Ｓ７０２）において、例えばタイミング制御部３０ｂは、まず移行制御の開始を要求するトリガを有効にする。
【０１０４】
このように、例えばタイミング制御部３０ｂは、復帰制御の最初に移行制御のトリガを無効にする処理を行い、処理終了時にそれを再び移行制御のトリガを有効にする。従って、復帰制御中は移行制御が無効になるため、移行制御よりも復帰制御の優先度が高くなり、また復帰制御と移行制御が重複することがなくなるために、画像読取装置が異常状態に陥いることを防止することができる。
【０１０５】
図１２は、スキャナのような画像読取装置以外の情報処理装置における動作例を示すフローチャートである。図１２（ａ）は情報処理装置の通常動作時の復帰制御を示しており、図１２（ｂ）は予備動作時の復帰制御を示している。
【０１０６】
まず、図１２（ａ）に示すように、ステップ８００（Ｓ８００）において、情報処理装置は、省電力状態における通常動作の開始を要求する復帰トリガの入力があるか否かを判定する。情報処理装置は、復帰トリガの入力があると判定した場合（Ｓ８００：Ｙｅｓ）には、Ｓ８０２の処理に進む。また、情報処理装置は、復帰トリガの入力がないと判定した場合（Ｓ８００：Ｎｏ）には、Ｓ８００の処理を継続する。
【０１０７】
ステップ８０２（Ｓ８０２）において、情報処理装置は、通常状態への復帰制御を行う。ここで、情報処理装置は、性能優先モードとして設定されるシーケンスに沿った復帰制御を行う。
【０１０８】
ステップ８０４（Ｓ８０４）において、情報処理装置は、通常動作を行う。
【０１０９】
ステップ８０６（Ｓ８０６）において、情報処理装置は、省電力状態への移行制御を行う。
【０１１０】
また、図１２（ｂ）に示すように、ステップ８０８（Ｓ８０８）において、情報処理装置は、省電力状態における予備動作の開始を要求する復帰トリガの入力があるか否かを判定する。情報処理装置は、復帰トリガの入力があると判定した場合（Ｓ８０８：Ｙｅｓ）には、Ｓ８１０の処理に進む。また、情報処理装置は、復帰トリガの入力がないと判定した場合（Ｓ８０８：Ｎｏ）には、Ｓ８０８の処理を継続する。
【０１１１】
ステップ８１０（Ｓ８１０）において、情報処理装置は、通常状態への復帰制御を行う。ここで、情報処理装置は、時間優先モードとして設定されるシーケンスに沿った復帰制御を行う。
【０１１２】
ステップ８１２（Ｓ８１２）において、情報処理装置は、予備動作を行う。
【０１１３】
ステップ８０６（Ｓ８０６）において、情報処理装置は、省電力状態への移行制御を行う。
【０１１４】
次に、実施の形態にかかる画像読取装置１ａを備えた画像形成装置６について説明する。図１３は、画像読取装置１ａを備えた画像形成装置６の概要を示す構成図である。画像形成装置６は、画像読取装置１ａと画像形成部７とを有する例えば複写機やＭＦＰ（Multifunction  Peripheral）などである。
【０１１５】
画像読取装置１ａは、例えばタイミング制御部３０ｂ、ドライバ３２、ＣＣＤ２、アナログ信号処理部３４ｂ及びＬＶＤＳ３６を有する。画像形成部７は、処理部７０とプリンタエンジン７２とを有し、処理部７０とプリンタエンジン７２とがインターフェイス（Ｉ／Ｆ）７４を介して接続されている。
【０１１６】
処理部７０は、ＬＶＤＳ７００、画像処理部７０２及びＣＰＵ７０４を有する。ＣＰＵ７０４は、タイミング制御部３０ｂなどの画像形成装置６を構成する各部を制御する。
【０１１７】
ＬＶＤＳ３６は、後段のＬＶＤＳ７００に対して画像データ、ライン同期信号及び伝送クロックなどを出力する。ＬＶＤＳ７００は、受入れた画像データ、ライン同期信号及び伝送クロックなどをパラレル１０ビットデータに変換する。画像処理部７０２は、変換された１０ビットデータを用いて画像処理を行い、画像データなどをプリンタエンジン７２に対して出力する。プリンタエンジン７２は、受入れた画像データを用いて印刷を行う。
【０１１８】
よって、プレスキャンによる原稿サイズの検知を行う場合にも、省電力状態において十分に消費電力を低減できる画像形成装置を提供することができる。
【０１１９】
なお、上記実施の形態では、本発明の情報処理装置についてスキャナ（画像読取装置）を例に挙げて説明したが、これに限定されない。例えば本発明の情報処理装置は、ＣＣＤエリアセンサを用いて撮像及びＡＦ（オートフォーカス）などを行うデジタルカメラや、ＡＦのためにＣＣＤリニアイメージセンサを用いたデジタルカメラなどであってもよい。また、デジタルカメラにおける静止画モードでの復帰を性能優先モードとし、動画モードでの復帰を時間優先モードとしてもよい。
【符号の説明】
【０１２０】
１，１ａ  画像読取装置
２  ＣＣＤ
３  ＳＢＵ
３０ａ，３０ｂ  タイミング制御部
３００  ＰＬＬ
３０２  第１クロック生成部
３０４  第２クロック生成部
３０６  第３クロック生成部
３０８  同期信号生成部
３１０  切替制御部
３１２  アナログスイッチ
３２  ドライバ
３４ａ，３４ｂ  アナログ信号処理部
３４０  クランプ部
３４２  サンプル・ホールド部
３６  ＬＶＤＳ
３６０  ＰＬＬ
３６２  データ変換部
３８  ＡＣ結合容量
６  画像形成装置
７  画像形成部
【先行技術文献】
【特許文献】
【０１２１】
【特許文献１】特開２０１２−１８６５２７号公報
【特許文献２】特開２０１１−０６１３０９号公報
【図１】
2014112810.tif 000003
【図２】
2014112810.tif 000004
【図３】
2014112810.tif 000005
【図４】
2014112810.tif 000006
【図５】
2014112810.tif 000007
【図６】
2014112810.tif 000008
【図７】
2014112810.tif 000009
【図８】
2014112810.tif 000010
【図９】
2014112810.tif 000011
【図１０】
2014112810.tif 000012
【図１１】
2014112810.tif 000013
【図１２】
2014112810.tif 000014
【図１３】
2014112810.tif 000015